(57)【要約】      （修正有）【課題】レーザ照射をし易い位置にレーザ照射部を配置すると共に、レーザ照射をしない場合でも、そのレーザ照射部が治療による水分等で汚れないレーザ防護装置等を提供する。【解決手段】レーザ照射部１２ａと、眼球自動追尾部１３と、を有するレーザ治療装置のレーザ照射部を防護するためのレーザ防護装置であり、レーザ照射部を防護する防護部１５ａと、防護部を移動可能に支持する支持部１５ｂと、を有し、防護部には、レーザ照射部に対応する位置とレーザ照射部から離間する位置との間で防護部を移動させるための移動案内部１５ｃが接続されているレーザ防護装置１５。【選択図】図２
0003149691.tif 000002
【実用新案登録請求の範囲】
【請求項１】
患者の目にレーザを照射するために外部に対して臨むように配置されるレーザ照射部と、患者の目にレーザを照射するとき、そのレーザの照射位置を自動的に眼球の動きに合わせるための眼球自動追尾部と、を有するレーザ治療装置の前記レーザ照射部を防護するためのレーザ防護装置であり、
前記眼球自動追尾部は、前記レーザ照射部に対して進退可能な構成となっており、
前記レーザ防護装置は、
前記レーザ照射部に対して進退可能な構成となっていると共に、前記レーザ照射部に対応する位置に配置されると、前記レーザ照射部を防護する防護部と、
前記防護部を移動可能に支持する支持部と、を有し、
前記防護部には、前記レーザ照射部に対応する位置と前記レーザ照射部から離間する位置との間で前記防護部を移動させるための移動案内部が接続されていることを特徴とするレーザ防護装置。
【請求項２】
前記移動案内部は、前記眼球追尾部に接続され、
前記眼球自動追尾部が前記レーザ照射部に対応する位置から離間する方向に移動すると、前記防護部は、前記移動案内部によって、前記レーザ照射部に対応する位置に配置されると共に、前記眼球自動追尾部が前記レーザ照射部に対応する位置に近接する方向に移動すると、前記防護部は、前記移動案内部によって、前記レーザ照射部に対応する位置から離間する配置される構成となっていることを特徴とする請求項１に記載のレーザ防護装置。
【請求項３】
前記レーザ治療装置には、患者を適切な倍率で観察するための光学系部品を有する光学部が配置され、前記光学部には、その患者の画像を取得するための画像取得部が含まれ、この画像取得部は、前記レーザ照射部の近傍に配置され、
前記防護部には、透明部が形成されていると共に、この透明部は、前記防護部が前記レーザ照射部に対応する位置に配置されときに、前記画像取得部に対応する位置に配置される構成となっていることを特徴とする請求項１又は請求項２に記載のレーザ防護装置。
【請求項４】
前記防護部は、その自重によって、前記レーザ照射部から離間する位置に配置されるように付勢力が働く構成となっていると共に、前記防護部が前記レーザ照射部に対応する位置に配置されたとき、前記レーザ照射部のレーザの照射軸を横切るように配置されることを特徴とする請求項１乃至請求項３のいずれかに記載のレーザ防護装置。
【請求項５】
前記移動案内部は、屈曲可能な紐部と、前記紐部を前記防護部及び前記眼球追尾部にそれぞれ接続するための取付具とを有し、
前記防護部は、ヒンジ部を介して前記支持部に接続されていることを特徴とする請求項４に記載のレーザ防護装置。
【請求項６】
患者の目にレーザを照射するために外部に対して臨むように配置されるレーザ照射部と、
患者の目にレーザを照射するとき、そのレーザの照射位置を自動的に眼球の動きに合わせるための眼球自動追尾部と、を有するレーザ治療装置であって、
前記眼球自動追尾部は、前記レーザ照射部に対して進退可能な構成となっており、
前記レーザ照射部を防護するためのレーザ防護装置を備え、
前記レーザ防護装置は、
前記レーザ照射部に対して進退可能な構成となっていると共に、前記レーザ照射部に対応する位置に配置されると、前記レーザ照射部を防護する防護部と、
前記防護部を移動可能に支持する支持部と、を有し、
前記防護部には、前記レーザ照射部に対応する位置と前記レーザ照射部から離間する位置との間で前記防護部を移動させるための移動案内部が接続されていることを特徴とするレーザ治療装置。
【請求項７】
前記移動案内部は、前記眼球追尾部に接続され、
前記眼球自動追尾部が前記レーザ照射部に対応する位置から離間する方向に移動すると、前記防護部は、前記移動案内部によって、前記レーザ照射部に対応する位置に配置されると共に、前記眼球自動追尾部が前記レーザ照射部に対応する位置に近接する方向に移動すると、前記防護部は、前記移動案内部によって、前記レーザ照射部に対応する位置から離間する配置される構成となっていることを特徴とする請求項６に記載のレーザ治療装置。
【請求項８】
患者を適切な倍率で観察するための光学系部品を有する光学部を有し、
前記光学部には、その患者の画像を取得するための画像取得部が含まれ、この画像取得部は、前記レーザ照射部の近傍に配置され、
前記防護部には、透明部が形成されていると共に、この透明部は、前記防護部が前記レーザ照射部に対応する位置に配置されときに、前記画像取得部に対応する位置に配置される構成となっていることを特徴とする請求項６又は請求項７に記載のレーザ治療装置。
【請求項９】
前記防護部は、その自重によって、前記レーザ照射部から離間する位置に配置されるように付勢力が働く構成となっていると共に、前記防護部が前記レーザ照射部に対応する位置に配置されたとき、前記レーザ照射部のレーザの照射軸を横切るように配置されることを特徴とする請求項６乃至請求項８のいずれかに記載のレーザ治療装置。
【請求項１０】
前記移動案内部は、屈曲可能な紐部と、前記紐部を前記防護部及び前記眼球追尾部にそれぞれ接続するための取付具とを有し、
前記防護部は、ヒンジ部を介して前記支持部に接続されていることを特徴とする請求項９に記載のレーザ治療装置。
【考案の詳細な説明】
【技術分野】
【０００１】
本考案は、例えば、レーザ治療装置に装着されるレーザ防護装置及び、このレーザ防護装置を備える防護装置付きレーザ治療装置に関するものである。
【背景技術】
【０００２】
従来より、眼科分野においては、近視等の治療のため屈折矯正方法が採用されている。この方法は、患者の目の角膜の形状に変化を加えて、焦点が網膜で結合するように、隔膜上皮にフラップ（蓋）を作成し、隔膜実質層にエキシマレーザを照射し、屈折率を調整して視力を回復させる方法となっている。
このため、この屈折矯正方法で治療するには、レーザ照射装置等が必要である（例えば、特許文献１）。また、治療の効率等を考慮すると、このレーザ照射装置等は、患者の目の近傍に配置されるのが好ましいため、このレーザ照射装置のうち実際にレーザを照射するレーザ照射部は、患者がベッドに横たわったとき、患者の目の上方にレーザの照射部が位置するように構成されている。
【先行技術文献】
【特許文献】
【０００３】
【特許文献１】特開２００１−２７６１１２号公報（特許請求の範囲等）
【考案の概要】
【考案が解決しようとする課題】
【０００４】
しかし、このようなレーザ照射装置を用いて医師が患者を治療する際は、レーザ照射の前後等で、患者の目に水等を当て、治療を行うことが通常である。したがって、この患者の目に当てた水が治療中に飛散等して、患者の目の上方にあるレーザ照射部を汚すという問題があった。
【０００５】
そこで、レーザ照射をし易い位置にレーザ照射部を配置すると共に、レーザ照射をしない場合でも、そのレーザ照射部が治療による水分等で汚れないレーザ防護装置及びレーザ防護装置付きレーザ治療装置を提供することを目的とする。
【課題を解決するための手段】
【０００６】
前記課題は、本考案によれば、患者の目にレーザを照射するために外部に対して臨むように配置されるレーザ照射部と、患者の目にレーザを照射するとき、そのレーザの照射位置を自動的に眼球の動きに合わせるための眼球自動追尾部と、を有するレーザ治療装置の前記レーザ照射部を防護するためのレーザ防護装置であり、前記眼球自動追尾部は、前記レーザ照射部に対して進退可能な構成となっており、前記レーザ防護装置は、前記レーザ照射部に対して進退可能な構成となっていると共に、前記レーザ照射部に対応する位置に配置されると、前記レーザ照射部を防護する防護部と、前記防護部を移動可能に支持する支持部と、を有し、前記防護部には、前記レーザ照射部に対応する位置と前記レーザ照射部から離間する位置との間で前記防護部を移動させるための移動案内部が接続されていることを特徴とするレーザ防護装置により達成される。
【０００７】
前記構成によれば、レーザ防護装置の防護部には、レーザ照射部に対応する位置とレーザ照射部から離間する位置との間で防護部を移動させるための移動案内部が接続されている。
例えば医師が、患者にレーザを照射せず、他の治療行為を行う場合、眼球自動追尾部は、不要であるため、レーザ照射部に対応する位置、例えばレーザ照射部の直下の位置から離間した位置に離されて配置される。これにより、患者の目の上方から離れた位置に眼球自動追尾部が移動させられるので、医師は治療行為をし易くなる。
この状況で、医師が施術を行い、患者の目に水等を用いると、水が飛散して、患者の近傍に配置されているレーザ照射部に達し、レーザ照射部を汚すおそれがある。
【０００８】
しかし、本考案では、レーザ防護装置の防護部には、レーザ照射部に対応する位置とレーザ照射部から離間する位置との間で防護部を移動させるための移動案内部が接続されているので、医師が眼球自動追尾部をレーザ照射部から離す方向に移動させると、移動案内部によってレーザ防護装置の防護部が自動的にレーザ照射部の直下等まで移動させられることになる。
したがって、たとえ医師が使用する水が飛散してレーザ照射部の方向に飛んできても、その飛散した水は、防護部に当たり、レーザ照射部には到達せず、レーザ照射部を汚さない構成となっている。
一方、医師が患者の目にレーザを照射する場合は、それまで離れた位置にあった眼球自動追尾部をレーザ照射部に対応する位置、例えばレーザ照射部の直下にまで移動させる必要がある。この場合、本考案では、防護部が、移動案内部によりレーザ照射部に対応する位置から離間する位置に移動させられる構成となっているため、眼球自動追尾部が防護部に代わりレーザ照射部の直下等に配置されることになり、防護部が眼球自動追尾部の移動を邪魔することがない。
したがって、円滑に眼球自動追尾部を使用することもできる。
このように、本考案では、医師が水等を使用して治療行為をするときは、移動案内部により防護部が移動させられ、レーザ防護装置の防護部によってレーザ照射部を水等の飛散から守ることができる。また、医師がレーザを使用する場合は、移動案内部によりレーザ照射部に対応する位置から防護部を自動的に退避させることができ、医師にとって使い易レーザ防護装置となる。
【０００９】
好ましくは、前記移動案内部は、前記眼球追尾部に接続され、前記眼球自動追尾部が前記レーザ照射部に対応する位置から離間する方向に移動すると、前記防護部は、前記移動案内部によって、前記レーザ照射部に対応する位置に配置されると共に、前記眼球自動追尾部が前記レーザ照射部に対応する位置に近接する方向に移動すると、前記防護部は、前記移動案内部によって、前記レーザ照射部に対応する位置から離間する配置される構成となっていることを特徴とするレーザ防護装置である。
【００１０】
前記構成によれば、移動案内部は、眼球追尾部に接続され、眼球自動追尾部がレーザ照射部に対応する位置から離間する方向に移動すると、防護部は、移動案内部によって、レーザ照射部に対応する位置に配置されると共に、眼球自動追尾部がレーザ照射部に対応する位置に近接する方向に移動すると、防護部は、移動案内部によって、レーザ照射部に対応する位置から離間する配置される構成となっている。
このため、医師等が眼球自動追尾部を移動させることで、移動案内部を介して防護部が自動的に移動するため、医師等にとって使い易いレーザ防護装置となる。
【００１１】
好ましくは、前記レーザ治療装置には、患者を適切な倍率で観察するための光学系部品を有する光学部が配置され、前記光学部には、その患者の画像を取得するための画像取得部が含まれ、この画像取得部は、前記レーザ照射部の近傍に配置され、前記防護部には、透明部が形成されていると共に、この透明部は、前記防護部が前記レーザ照射部に対応する位置に配置されときに、前記画像取得部に対応する位置に配置される構成となっていることを特徴とするレーザ防護装置である。
【００１２】
前記構成によれば、レーザ治療装置には、患者を適切な倍率で観察するための光学系部品を有する光学部が配置され、光学部には、その患者の画像を取得するための画像取得部が含まれ、この画像取得部は、レーザ照射部の近傍に配置されている。そして、防護部には、透明部が形成されていると共に、この透明部は、防護部がレーザ照射部に対応する位置に配置されときに、画像取得部に対応する位置に配置される構成となっている。
光学部が設けられたレーザ治療装置では、医師がレーザを照射しないときでも、患者の目を観察等するために、このレーザ治療装置を使用する。そのとき、光学部の画像処理部がレーザ照射部の近傍にあり、レーザ照射部を防護するために防護部を配置すると、この防護部により、医師が光学部を利用して観察できない可能性がある。
そこで、本考案では、防護部の画像取得部に対応する位置に透明部を設けることで、医師による光学部の利用を確保する構成となっている。
したがって、レーザを照射しない場合で、患者の目に水を当て、且つ、その状態を光学部で観察する場合であっても、水が飛散してレーザ照射部を汚すことを防ぐと共に、治療中の様子を光学部で観察することができるという極めて使い易い構成となっている。
【００１３】
好ましくは、前記防護部は、その自重によって、前記レーザ照射部から離間する位置に配置されるように付勢力が働く構成となっていると共に、前記防護部が前記レーザ照射部に対応する位置に配置されたとき、前記レーザ照射部のレーザの照射軸を横切るように配置されることを特徴とするレーザ防護装置である。
【００１４】
前記構成によれば、防護部は、その自重によって、レーザ照射部から離間する位置に配置されるように付勢力が働く構成となっているので、極めて簡素な構成で防護部をレーザ照射部から離間する位置に、自動的に配置することが可能となり、これにより、故障等がし難く、また故障等を発見し易く、これを眼科等の手術に用いる場合、極めて安全性が高い構成となっている。  
また、前記構成によれば、防護部は、レーザ照射部に対応する位置に配置されたとき、レーザ照射部のレーザの照射軸を横切るように配置されるので、水の飛散等から確実にレーザ照射部を保護することができる。
【００１５】
好ましくは、前記移動案内部は、屈曲可能な紐部と、前記紐部を前記防護部及び前記眼球追尾部にそれぞれ接続するための取付具とを有し、前記防護部は、ヒンジ部を介して前記支持部に接続されていることを特徴とするレーザ防護装置である。
【００１６】
前記構成によれば、移動案内部は、屈曲可能な紐部を有しているので、この紐部で防護部を引っ張ることで、防護部の付勢力に抗して、防護部をレーザ照射部に対応する位置に配置させることができる。また、防護部は、ヒンジ部を介して支持部に接続されているので、このとき、防護部はヒンジ部で支持部に対して折り曲がる状態となることができるので、容易にレーザ照射部に対応する位置に配置される。
また、逆に、紐部が防護部を引っ張らない場合は、防護部の付勢力で防護部は自動的にレーザ照射部から離間する位置に配置させられる。
さらに、紐部は眼球追尾部と接続されているので、紐部の屈曲又は復元は、眼球追尾部の移動と対応して生じる。このため、利用者は、眼球追尾部の移動をするだけで、防護部を適正な位置に配置させることができる。
そして、紐部は取付具を介して防護部及び眼球追尾部にそれぞれ接続されているので、防護部と眼球追尾部の相対的な位置の変化に対し、紐部が追従し易い構成とすることができる。
すなわち、紐部の移動許容範囲を大きくすることができ、紐部が眼球追尾部や防護部等の一部に引っかかったり、絡まったりする可能性等を低くすることができる。このため、眼球追尾部の移動に精度良く対応して移動できる防護部とすることができる。
【００１７】
前記課題は、本考案によれば、患者の目にレーザを照射するために外部に対して臨むように配置されるレーザ照射部と、患者の目にレーザを照射するとき、そのレーザの照射位置を自動的に眼球の動きに合わせるための眼球自動追尾部と、を有するレーザ治療装置であって、前記眼球自動追尾部は、前記レーザ照射部に対して進退可能な構成となっており、前記レーザ照射部を防護するためのレーザ防護装置を備え、前記レーザ防護装置は、前記レーザ照射部に対して進退可能な構成となっていると共に、前記レーザ照射部に対応する位置に配置されると、前記レーザ照射部を防護する防護部と、前記防護部を移動可能に支持する支持部と、を有し、前記防護部には、前記レーザ照射部に対応する位置と前記レーザ照射部から離間する位置との間で前記防護部を移動させるための移動案内部が接続されていることを特徴とするレーザ治療装置により達成される。
【００１８】
好ましくは、前記移動案内部は、前記眼球追尾部に接続され、前記眼球自動追尾部が前記レーザ照射部に対応する位置から離間する方向に移動すると、前記防護部は、前記移動案内部によって、前記レーザ照射部に対応する位置に配置されると共に、前記眼球自動追尾部が前記レーザ照射部に対応する位置に近接する方向に移動すると、前記防護部は、前記移動案内部によって、前記レーザ照射部に対応する位置から離間する配置される構成となっていることを特徴とするレーザ治療装置である。
【００１９】
好ましくは、患者を適切な倍率で観察するための光学系部品を有する光学部を有し、前記光学部には、その患者の画像を取得するための画像取得部が含まれ、この画像取得部は、前記レーザ照射部の近傍に配置され、前記防護部には、透明部が形成されていると共に、この透明部は、前記防護部が前記レーザ照射部に対応する位置に配置されときに、前記画像取得部に対応する位置に配置される構成となっていることを特徴とするレーザ治療装置である。
【００２０】
好ましくは、前記防護部は、その自重によって、前記レーザ照射部から離間する位置に配置されるように付勢力が働く構成となっていると共に、前記防護部が前記レーザ照射部に対応する位置に配置されたとき、前記レーザ照射部のレーザの照射軸を横切るように配置されることを特徴とするレーザ治療装置である。
【００２１】
好ましくは、前記移動案内部は、屈曲可能な紐部と、前記紐部を前記防護部及び前記眼球追尾部にそれぞれ接続するための取付具とを有し、前記防護部は、ヒンジ部を介して支持部に接続されていることを特徴とするレーザ治療装置である。
【考案の効果】
【００２２】
本考案は、前記のような特徴構成を有することから、レーザ照射をし易い位置にレーザ照射部を配置すると共に、レーザ照射をしない場合でも、そのレーザ照射部が治療による水分等で汚れないレーザ防護装置及びレーザ防護装置付きレーザ治療装置を提供することができるという利点がある。
【図面の簡単な説明】
【００２３】
【図１】本考案に係るレーザ治療装置の実施の形態に係る例えば、エキシマレーザ治療装置を示す概略斜視図である。
【図２】図１の装置本体を下方から見た概略斜視図である。
【図３】アイトラッキング装置がエキシマレーザ照射部から離間した位置に移動させられた状態等を示す概略斜視図である。
【図４】アイトラッキング装置がエキシマレーザ照射部から離間した位置に移動させられた状態等を示す他の概略斜視図である。
【考案を実施するための形態】
【００２４】
以下、この考案の好適な実施の形態を添付図面等を参照しながら詳細に説明する。
尚、以下に述べる実施の形態は、本考案の好適な具体例であるから、技術的に好ましい種々の限定が付されているが、本考案の範囲は、以下の説明において特に本考案を限定する旨の記載がない限り、これらの態様に限られるものではない。
【００２５】
図１は、本考案に係るレーザ治療装置の実施の形態に係る例えば、エキシマレーザ治療装置１を示す概略斜視図である。
このエキシマレーザ治療装置１は、近視等の治療に用いるものであり、具体的には、屈折矯正方法と呼ばれる眼科の治療方法を実施するうえで用いられる装置である。
この屈折矯正方法は、患者の目の角膜に変化を加えて、焦点が網膜に結合するように角膜上皮にフラップ（蓋）を作成し、角膜実質層にエキシマレーザを照射し、屈折率を調整して視力を回復させる方法となっている。
そして、図１に示すエキシマレーザ治療装置１は、このエキシマレーザを患者の目の角膜に照射する際に用いられる。
【００２６】
図１に示すように、このエキシマレーザ治療装置１は、患者が横たわるためのベッド部１１が備わっていると共に、このベッド部１１は、患者の頭を配置するための枕部１１ａを有している。
そして、このベッド部１１に患者が横たわり、その頭を枕部１１ａに載せると、患者の顔の上方に図１に示す装置本体１２が配置される構成となっている。
【００２７】
図２は、図１の装置本体１２を下方から見た概略斜視図である。図２に示すように、装置本体１２の底面側（患者側）には、患者の目に対してエキシマレーザを照射するためのレーザ照射部である例えば、エキシマレーザ照射部１２ａが配置されている。
このため、エキシマレーザは、このエキシマレーザ照射部１２ａによって、図１の枕部１１ａに載置されている患者の目に対して照射可能な構成となっている。
また、このエキシマレーザ照射部１２ａには、図１及び図２に示すように、エキシマレーザの照射位置を自動的に患者の眼球の動きに合わせるための眼球自動追尾部である例えば、アイトラッキング装置１３が備わっている。
このため、医師がエキシマレーザを患者の角膜に照射する際、たとえ眼球が動いても精度よく、エキシマレーザを照射することができる構成となっている。
【００２８】
また、図１に示すように、装置本体１２には、枕部１１ａに載置されている患者の頭の目を治療中等に適切な倍率で観察するための光学系部品を有する光学部である例えば、光学装置１４が配置されている。この光学装置１４には、図１に示すように、医師等が覗くことができる接眼レンズ１４ａ、１４ａが備わっている。
また、光学装置１４のうち、装置本体１２の下側部分のエキシマレーザ照射部１２ａの近傍には、患者の目等の画像を所得するための画像取得部１２ｂが設けられている。
このため、医師は、図１の接眼レンズ１４ａ、１４ａを通して、例えば、エキシマレーザの照射やその他の治療行為を行っている患者の目を観察等することができる構成となっている。
【００２９】
また、図１及び図２に示すアイトラッキング装置１３は、図１及び図２の位置、すなわち、エキシマレーザ照射部１２ａに対応する位置に配置されると共に、一方、図３に示す、エキシマレーザ照射部１２ａから離間した位置に移動させることもできる構成となっている。すなわち、アイトラッキング装置１３は、エキシマレーザ照射部１２ａに対して進退可能な構成となっている。
図３は、アイトラッキング装置１３がエキシマレーザ照射部１２ａから離間した位置に移動させられた状態等を示す概略斜視図である。図４は、アイトラッキング装置１３がエキシマレーザ照射部１２ａから離間した位置に移動させられた状態等を示す他の概略斜視図である。
この場合、図４に示すように、医師が、エキシマレーザの照射以外の治療行為等を行う際、アイトラッキング装置１３の存在に邪魔されることがない。また、この場合、医師は、この治療行為等を行う際、光学装置１４の画像取得部１２ｂから得た画像を図１の接眼レンズ１４ａ、１４ａから見ることができるので、精度の高い治療を行うことができる構成となっている。
【００３０】
また、図１に示すように、装置本体１２には、エキシマレーザ照射部１２ａを防護するためのレーザ防護装置である例えば、水はね防護装置１５が装着されている。
水はね防護装置１５は、平板状の部材等から形成されている。水はね防護装置１５の下端側には、図４に示すように、エキシマレーザ照射部１２ａ及び画像取得部１２ｂを覆うように配置される防護部１５ａが形成されている。
したがって、図４に示すように、医師が患者の目に対して水等を当て治療等を行っている場合でも、その水等が飛散して直接、エキシマレーザ照射部１２ａに達してエキシマレーザ照射部１２ａの表面を汚し、ひいてはその性能を低下等させることを未然に防ぐことができる構成となっている。
【００３１】
また、この防護部１５ａは、透明の材料からなっており、透明部を有している。
図４に示すように、防護部１５ａを配置した場合は、防護部１５ａによってエキシマレーザ照射部１２ａのみならず画像取得部１２ｂも覆われる構成となっている。このため、図４の場合で、医師は、その治療行為を図１の接眼レンズ１４ａ、１４ａを介して観察等することが困難となる場合が考えられる。この点、本考案では、画像取得部１２ｂに対応する防護部１５ａが、透明であるため、医師が図４に示すような治療行為を接眼レンズ１４ａ、１４ａを介して行い易く、医師が治療行為を行い易いようにしている。
なお、本実施の形態では、防護部１５ａ全体を透明部としているが、これに限らず、防護部１５ａで覆う、エキシマレーザ照射部１２ａ及び画像取得部１２ｂに対応する部分のみを透明部としても良い。
【００３２】
また、図２に示すように、水はね防護装置１５の上端側には、板状で形成された支持部である例えば保持部１５が設けられている。この保持部１５ｂと防護部１５ａとは、ヒンジ部（蝶番）１５ｂａが形成されることで、保持部１５ｂは、図２の矢印Ｒ１に沿って移動可能な構成となっている。
したがって、この防護部１５ａの移動は、図４のエキシマレーザ照射部１２ａ及び画像取得部１２ｂに対する進退方向となっている。
【００３３】
また、防護部１５ａとアイトラッキング装置１３とは、図２等で示すように屈曲可能な紐部１５ｃを介して相互に連結されている。具体的には、防護部１５ａは取付具である例えば、リング状取付具１５ｃａを介して紐部１５ｃと接続され、アイトラッキング装置１３は、リング状取付具１５ｃｂを介して紐部１５ｃと接続されている。
このように紐部１５ｃをリング状取付具１５ｃａ、１５ｃｂを介して防護部１５ａ及びアイトラッキング装置１３に接続させることで、防護部１５ａとアイトラッキング装置１３の相対的な位置の変化に対し、紐部１５ｃが追従し易い構成とすることができる。
なお、これら紐部１５ｃ及びリング状取付具１５ｃａ、１５ｃｂが移動案内部の一例となっている。
【００３４】
医師等の利用者が、アイトラッキング装置１３を使用した後、アイトラッキング装置１３を、図２の位置から図３の位置に移動させると、すなわち、アイトラッキング装置１３をエキシマレーザ照射部１２ａから離間した位置に移動させると、このアイトラッキング装置１３の移動によって紐部１５ｃの屈曲が復元し、その後、防護部１５ａは、この紐部１５ｃに引っ張られて、ヒンジ部１５ｂａで折れ曲がり、図２の矢印Ｒ１方向に移動させられることになる。
そして、アイトラッキング装置１３が、図３に示すように、完全に退避位置まで移動すると、防護部１５ａは、エキシマレーザ照射部１２ａ及び画像取得部１２ｂに対応する位置に配置され、これらを覆うように配置されることになる。
このとき、防護部１５ａは、エキシマレーザ照射部１２ａのレーザの照射軸を横切るように配置されるので、医師が患者の目に対して水等を当て治療等を行っている場合でも、その水等が飛散して直接、エキシマレーザ照射部１２ａに達してエキシマレーザ照射部１２ａの表面を汚し、ひいてはその性能を低下等させることを未然に防ぐことができる構成となっている。同様に画像取得部１２ｂも保護することができる構成となっている。
【００３５】
ところで、防護部１５ａは、その自重によって、図３の位置（エキシマレーザ照射部１２ａ等に対応し、これを覆う位置）から図２の位置（エキシマレーザ照射部１２ａ等をから離間する位置）にヒンジ部１５ｂａを介して移動するように付勢力が働く構成となっている。
このため、アイトラッキング装置１３が、上述とは反対に、図３の位置から図３の矢印Ｒ３の方向に沿って移動させられると、紐部１５ｃが屈曲し始め、これにより、防護部１５ａは、図２の矢印Ｒ２の方向に沿って移動を開始し、図２の位置に達する構成となっている。
【００３６】
このように、本実施の形態では、図２及び図３に示すように、アイトラッキング装置１３が、エキシマレーザ照射部１２ａ及び画像取得部１２ｂに対応する位置に対して進退可能なように、すなわち、エキシマレーザ照射部１２ａ等に対応する位置又はそこから離間する位置の間を移動するような構成となっている。
さらに、このアイトラッキング装置１３が、図３の離間位置からエキシマレーザ照射部１２ａ等に対応する位置に近接すると、エキシマレーザ照射部１２ａ等に対応する位置に既に配置されている水はね防護装置１５の防護部１５ａが、その自重で退避位置（図２の位置）に移動する。反対に、アイトラッキング装置１３が、図３の離間位置に向かって移動すると、紐部１５ｃにより防護部１５ａが、エキシマレーザ照射部１２ａ等に対応する位置に配置される構成となっている。
【００３７】
本実施の形態に係る水はね防護装置１５付きエキシマレーザ治療装置１は、以上のような構成となっているので、例えば、医師が、患者に対するエキシマレーザ照射の前に、図４に示すような、治療行為を行う場合、医師は、アイトラッキング装置１３を、患者の目の上方、すなわち、エキシマレーザ照射部１２ａ等に対応する位置から離間する方向に移動させる。
すると、水はね防護装置１５の防護部１５ｂは、紐部１５ｃによって、自動的にエキシマレーザ照射部１２ａ等に対応する位置に配置される。
したがって、医師が治療行為で水を用いた結果、水分が飛散しても、その水分は水はね防護装置１５の防護部１５ａによって守られ、エキシマレーザ照射部１２ａに達することがなく、エキシマレーザの性能が劣化等することを防止することができる。
【００３８】
また、このとき、患者の目の上方にあったアイトラッキング装置１３は、患者の目の上方から退避させられるので、医師が患者の目の治療をするに当たり、アイトラッキング装置１３が邪魔になることがない。
さらに、水はね防護装置１５は、自動的にエキシマレーザ照射部１２ａ等に対応する位置に配置されるので、医師が誤ってエキシマレーザ照射部１２ａの防護を忘れるということがなく、常に、必ずエキシマレーザ照射部１２ａは、水等の飛散から保護されることとなる。
なお、紐部１５ｃは、水はね防護装置１５の防護部１５ａ及びアイトラッキング装置１３とそれぞれリング状取付具１５ｃａ、１５ｃｂと接続されているので、その移動許容範囲を大きくすることができ、紐部１５ｃがアイトラッキンング装置１３や防護部１５ａ等の一部に引っかかったり、絡まったりする可能性等を低くすることができる。このため、アイトラッキング装置１３の移動に精度良く対応して移動できる防護部１５ａとすることができる。
【００３９】
また、このとき、上述のように、水はね防護装置１５の防護部１５ａは、透明となっているので、医師は、エキシマレーザ照射部１２ａを水の飛散等から保護しつつ、その治療行為を画像取得部１２ｂから取得し、接眼レンズ１４ａ、１４ａを通して観察することができる。このため、精度の高い治療行為をすることも可能となる。
【００４０】
また、図４の状態で医師が患者の目の治療を終了され、その後、エキシマレーザを照射する治療行為をする場合、医師は、アイトラッキング装置１３をエキシマレーザ照射部１２ａ等に対応する位置に移動させるだけで、自動的に、水はね防護装置１５は、図２等に示す位置に退避するので、医師は、別個に、水はね防護装置１５を退避させる動作を行う必要がなく、より効率的に治療行為を行うことができる。
すなわち、水はね防護装置１５は、アイトラッキング装置１３の移動を妨げることがない。
【００４１】
さらに、図２及び図３に示すように、水はね防護装置１５は、簡素の構成となっているため、故障が生じ難く、且つ、故障が生じた場合でも、その故障等を発見し易く修理もし易いので、眼科等の手術に用いる場合は、極めて安全性が高い構成となっている。
また、本実施の形態では、上述のように、アイトラッキング装置１３を移動可能な構成としたことで、エキシマレーザ照射部１２ａは、常に、患者の目の上方に配置させることができ、医師にとって使い易い構成となっている。
【００４２】
なお、本考案は、上記の実施の形態に限定されるものではない。
【符号の説明】
【００４３】
１・・・エキシマレーザ治療装置、１１・・・ベッド部、１１ａ・・・枕部、１２・・・装置本体、１２ａ・・・エキシマレーザ照射部、１２ｂ・・・画像取得部、１３・・・アイトラッキング装置、１４・・・光学装置、１４ａ・・・接眼レンズ、１５・・・水はね防護装置、１５ａ・・・防護部、１５ｂ・・・保持部、１５ｂａ・・・ヒンジ部、１５ｃ・・・紐部、１５ｃａ、１５ｃｂ・・・リング状取付具
【図１】
0003149691.tif 000003
【図２】
0003149691.tif 000004
【図３】
0003149691.tif 000005
【図４】
0003149691.tif 000006